(57)【特許請求の範囲】
【請求項１】
椅子を格納する複数の収納箱を互いに隣合う所定の位置に配設するとともに、この収納箱を上下方向で変位可能にそれぞれ支持する手段を備えたホールの椅子収納装置において、前記収納箱が隣合う収納箱と対向する面に設けた開口部と、前記収納箱に設けられて前記開口部から突出する方向へ椅子を変位させる伸縮可能な駆動手段と、この駆動手段と前記椅子とを選択的に結合する手段と、前記収納箱に配設されて収納箱の上面の所定の位置で椅子を選択的に係止する手段とを備え、一端を前記収納箱の開口部に面した内周上部にヒンジ結合する一方、他端を前記収納箱の内周底部に当接可能な支柱を設け、この支柱を回動させるアクチュエータを備えたことを特徴とする記載のホールの椅子収納装置。
【請求項２】
前記支柱を開口部に沿う方向で回動可能にヒンジ結合するとともに、この支柱を前記開口部に沿った所定の間隔で配設し、各支柱をリンクを介して連結したことを特徴とする請求項１に記載のホールの椅子収納装置。
【請求項３】
前記収納箱の上面に所定の凹部を形成する一方、前記係止手段を前記凹部に収装したことを特徴とする請求項１または２に記載のホールの椅子収納装置。
【発明の詳細な説明】
【０００１】
【産業上の利用分野】
本発明は、劇場や公会堂などとして利用される多目的ホールに配設されて客席配置を自在に変更可能な椅子収納装置の改良に関する。
【０００２】
【従来の技術】
従来から劇場や公会堂等のホールに配置される椅子及び床面は固定式のものが多く、ホールの使用目的に応じて椅子及び床面を所定の位置に予め固定していた。このようなホールにあっては単一の使用目的、例えば、映画、演劇等にしか使用することができず、ホールの稼働効率を低下させる一因となっていた。
【０００３】
そこで、一つのホールで映画、演劇、コンサート、会議あるいはスポーツ等の複数の催しものを行って利用効率を向上させた多目的ホールが普及しつつある。この多目的ホールの椅子及び床面のレイアウトを変更可能にする椅子収納装置として実開昭６１−１４０４４２号公報に開示されるものが知られている。
【０００４】
この椅子収納装置は図１３に示すように、折り畳み可能な椅子９１を収納箱９０に収装するとともに、収納箱９０の上部に形成した開口部９０Ａを開閉する２枚の上蓋９２、９３を開口部９０Ａの端部両側にそれぞれヒンジ結合したもので、上蓋９２はモータ９６で駆動されるリンク９４によって開閉駆動される一方、椅子９１は上蓋９３と一体となってモータ９７で駆動されるリンク機構９５により起倒される。
【０００５】
椅子９１を使用する際にはモータ９６を駆動して上蓋９２を開いた後、モータ９７でリンク機構９５を駆動して椅子９１、上蓋９３を起立させ、上蓋９２を閉じて床面を形成し、椅子９１の座面９１Ａを所定の位置に組み立てて客席を形成する一方、椅子９１を使用しない場合には収納箱９０の内部に椅子９１を格納するとともに、上蓋９２、９３によって床面を形成するものである。なお、ホールの底部には複数の収納箱９０が互いに隣合うように配設されるとともに、この収納箱９０は図示しないアクチュエータにより上下方向へ変位可能となっており、椅子９１及び床面の高さを任意の位置に設定可能となっている。
【０００６】
【発明が解決しようとする課題】
しかしながら、上記従来の装置では椅子９１を格納して上蓋９２、９３を床面として利用する場合、開口部９０Ａを閉鎖する上蓋を分割したため、閉鎖した上蓋９２、９３との間に目地が生じて床面の品質及び剛性が低下するだけでなく、リンク機構９５を介して上蓋９３とともに椅子９１が回動するため、収納箱９０に格納可能な椅子は上蓋９３及びリンク機構９５によって寸法の制限を受け、大型の椅子の設置又は椅子の変更等を容易に行うことができない場合があった。
【０００７】
そこで本発明は、床面の品質を低下させることなく任意の椅子を格納可能なホールの椅子収納装置を提供することを目的とする。
【０００８】
【課題を解決するための手段】
第１の発明は、椅子を格納する複数の収納箱を互いに隣合う所定の位置に配設するとともに、この収納箱を上下方向で変位可能にそれぞれ支持する手段を備えたホールの椅子収納装置において、前記収納箱が隣合う収納箱と対向する面に設けた開口部と、前記収納箱に設けられて前記開口部から突出する方向へ椅子を変位させる伸縮可能な駆動手段と、この駆動手段と前記椅子とを選択的に結合する手段と、前記収納箱に配設されて収納箱の上面の所定の位置で椅子を選択的に係止する手段とを備え、一端を前記収納箱の開口部に面した内周上部にヒンジ結合する一方、他端を前記収納箱の内周底部に当接可能な支柱を設け、この支柱を回動させるアクチュエータを備える。
【００１０】
また、第２の発明は、第１の発明において、前記支柱を開口部に沿う方向で回動可能にヒンジ結合するとともに、この支柱を前記開口部に沿った所定の間隔で配設し、各支柱をリンクを介して連結する。
【００１１】
また、第３の発明は、第１または第２の発明において、前記収納箱の上面に所定の凹部を形成する一方、前記係止手段を前記凹部に収装する。
【００１２】
【作用】
したがって、第１の発明は、収納箱を上昇させて内周の底部が開口部に面して隣合う収納箱の上面と一致させた後に、駆動手段を伸長させて椅子を隣合う収納箱の上面へ変位させる。隣合う収納箱の係止手段を作動させて上面に移動してきた椅子を固定し、駆動手段と椅子との結合手段を解除してから駆動手段を収縮させて収納箱へ格納する。収納箱を所定の位置へ降下させる一方、上面に椅子を固定した隣合う収納箱を所定の高さへ変位させることによって所定の客席を形成することができる。
【００１３】
一方、椅子が不要なときには上記とは逆に、収納箱を上昇させて内周の底部が開口部に面して隣合う収納箱の上面と一致させた後に、駆動手段を伸長させて結合手段が隣合う収納箱の上面の椅子と当接する位置まで変位させる。隣合う収納箱の係止手段を解除してから結合手段を作動させて椅子と駆動手段とを結合し、駆動手段を収縮させることで椅子は収納箱へ格納される。この後、収納箱を所定の高さへ変位させることにより収納箱の上面を床面として利用することができる。
【００１４】
また、収納箱の内周で一端を前記収納箱の開口部に面した内周上部にヒンジ結合する一方、他端を収納箱の内周底部に当接可能な支柱を設けたため、収納箱の上面に加わる荷重を支柱で支持することができ、椅子を隣合う収納箱へ設置又は格納する際にはアクチュエータで支柱を所定の位置へ回動させることができ駆動手段の伸縮及び椅子の変位を妨げることがない。
【００１５】
また、第２の発明は、前記支柱を開口部に沿う方向で回動可能にヒンジ結合するとともに、この支柱を前記開口部に沿った所定の間隔で配設するとともに各支柱をリンクを介して連結したため、収納箱の上面に加わる荷重を複数の支柱で支持することができ、各支柱をリンクで連結して開口部に沿う方向へ回動可能としたため、椅子を隣合う収納箱へ設置又は格納する際にはアクチュエータで複数の支柱を所定の位置へ同期させて回動させることができ、駆動手段の伸縮及び椅子の変位を妨げることがなく、支柱の回動を開口部に沿う方向で行うため内部に収装する椅子に当接することがない。
【００１６】
また、第３の発明は、前記収納箱の上面に所定の凹部を形成する一方、前記係止手段を前記凹部に収装したため、前記上面を床面として利用する場合、突起物のない平滑な床面を形成することができる。
【００１７】
【実施例】
図１〜図７に本発明の実施例を示す。
【００１８】
図１〜図３において、図示しないホールの床面を４つの収納箱１Ａ〜１Ｄで形成した例を示し、ホールの前方に面した収納箱１Ａが最前列を、同じくホールの後方に面した収納箱１Ｄが最後列を構成する（以下、図中矢印側をホールの前方、他方を後方とする）。収納箱１Ａ〜１Ｄは長手方向で互いに隣合うように平行に配設されるとともに、収納箱１Ａ〜１Ｄの上面が床面１１を形成する。
【００１９】
収納箱１Ａ〜１Ｄはそれぞれ図示しない支持手段によって上下方向へ変位可能に支持されており、このうち収納箱１Ａ〜１Ｃの内部には客席を形成する複数の座席を一体に結合した折り畳み自在な椅子２が収納箱１Ａ〜１Ｃの長手方向に沿って収装され、これら椅子２は図示しないホールの前方に向けて配設される。なお、図１〜図３において、椅子２は折り畳み状態を示す。
【００２０】
これら椅子２を収装した収納箱１Ａ〜１Ｃが隣合う収納箱と対向する面、すなわち、ホールの後方に面した側面である収納箱１Ａの収納箱１Ｂに対向する側面（以下、背面とする）には椅子２が通過可能な開口部１０が形成され、同様にして収納箱１Ｂ、収納箱１Ｃの隣合う収納箱１Ｃ、１Ｄと対向する背面にも開口部１０が形成される。この開口部１０には後述するように、回動可能な支柱１２が所定の間隔で配設される。
【００２１】
収納箱１Ａ〜１Ｃに収装された椅子２の長手方向の両端部近傍には鉄などの磁性材料で形成された支柱２０Ａ、２０Ａを介して脚部２０、２０が設けられ、この脚部２０にはホールの前後方向（図１、２の左右方向）で変位可能に椅子２を支持するローラ２１、２１が取り付けられる。
【００２２】
椅子２を収装した収納箱１Ａ〜１Ｃの開口部１０と対向する内周面、すなわち、ホールの前方側の側面１６には椅子２を水平方向へ伸縮自在に駆動する手段としてのネジジャッキ３及び平行リンク４が設けられる。
【００２３】
平行リンク４は図４にも示すように、パンタグラフ状に交差する一対のリンク４Ａ、４Ｂを多数連結して構成され、リンク４Ａの基端は側面１６に固設されたガイド４１と係合して上下方向で摺動自由に支持される一方、リンク４Ｂの基端は収納箱１Ａ〜１Ｃの内周底面１７に突設されたブラケット４０で回動自由に支持される。
【００２４】
ガイド４１の上方の側面１６には図示しないモータを内部に収装してロッド３０を伸縮駆動するネジジャッキ３が鉛直方向で固設され、このロッド３０がガイド４１で上下方向に案内されるリンク４Ａの基端と連結し、ロッド３０の摺動に応じて平行リンク４の椅子２側の端部が伸縮するもので、ネジジャッキ３の伸長駆動により平行リンク４が伸長する一方、ネジジャッキ３の収縮駆動により平行リンク４も収縮する。
【００２５】
平行リンク４の椅子２に面した端部には支持部材４３を介して結合手段としての電磁石５が開口部１０に向けて取り付けられる。
【００２６】
この支持部材４３は下端部でリンク４Ａを回動自由に支持する一方、上端部側に形成したガイド４１と同様のガイド穴４４でリンク４Ｂを上下方向で案内しており、支持部材４３は平行リンク４の伸縮に応じて水平方向へ変位する一方、支持部材４３は常時鉛直方向に支持されて電磁石５を椅子２の支柱２０Ａと当接可能に保持し、椅子２の支柱２０Ａに当接した電磁石５を励磁することにより磁性材料で形成された支柱２０Ａに吸着して平行リンク４と椅子２とを結合することができる。なお、平行リンク４の途中にはローラ４２が設けられ、平行リンク４及び支持部材４３は底面１７から所定の高さに支持されて、電磁石５は支柱２０Ａの所定の位置と当接可能となる。
【００２７】
ネジジャッキ３のロッド３０の伸長時には図５にも示すように平行リンク４も伸長し、支持部材４３及び電磁石５は支柱２０Ａを開口部１０から突出する方向へ伸長して椅子２を変位させ、電磁石５の励磁状態で平行リンク４を収縮させれば椅子２を収納箱１Ａ〜１Ｃへ格納することができる。なお、ネジジャッキ３は図示しないモータに結合したネジとロッド３０に結合したナットが螺合して構成され、モータの回転に応じてロッド３０が伸縮するものである。
【００２８】
次に、椅子２を収装した収納箱１Ａ〜１Ｃの開口部１０に設けられた支柱１２は図３、図６に示すように、収納箱１Ａ〜１Ｃの内周上部から開口部１０に沿った所定の間隔で底面１７に向けて突設されたブラケット１３の端部でピン６１を介してヒンジ結合され、支柱１２は開口部１０を形成した収納箱１Ａ〜１Ｃの背面に沿う方向で回動自由に支持され、これら複数の支柱１２は水平方向に配設されたリンク８とピン６４を介してそれぞれ連結される。
【００２９】
支柱１２は自由端が底面１７に当接可能な所定の長さに形成され、ブラケット１３から鉛直方向に突設されたストッパ６２と、同じくブラケット１３から水平方向に突設されたストッパ６３で回動範囲を規制され、ストッパ６２に規制されて自由端が底面１７に当接する鉛直位置で支柱１２は床面１１に加わる荷重を支持する一方、ストッパ６３で変位を規制された水平位置では椅子２を通過可能にする。
【００３０】
そして、複数の支柱１２のうちの少なくともひとつは、収納箱１Ａ〜１Ｃの内周上面からブラケット９１を介して回動自由に支持されたアクチュエータとしてのネジジャッキ９のロッド９０と連結する。ロッド９０は支柱１２がリンク８と連結するピン６４と同軸的に連結しており、ロッド９０の伸縮により支柱１２は鉛直位置から水平位置まで回動する。この支柱１２の回動に伴ってリンク８も揺動し、支柱１２の水平位置ではリンク８は図６に示す８Ａの位置へ変位して連結された支柱１２を駆動する。なお、ネジジャッキ９はブラケット９１を介して収納箱１Ａの内周上面に回動自由に支持されており、上記ネジジャッキ３と同様に図示しないモータ、ネジ及びナットにより構成される。
【００３１】
椅子２を係止する手段としてのロックレバー６は図１〜３に示すように、収納箱１Ｂから最後列の収納箱１Ｄにそれぞれ配設される。ロックレバー６は収納箱１Ｂ〜１Ｄの長手方向で所定の間隔かつ椅子２の所定の係止位置で床面１１に設けた所定の凹部１４から突出自在に配設される。
【００３２】
図４、図７にも示すように、ロックレバー６は逆Ｌ字状に形成された板状部材により形成され、ロックレバー６の鉛直部６Ｃは床面１１から内周へ鉛直方向に貫通した貫通孔１５で摺動自由に支持されるとともに、ロックレバー６の床面１１側の端部には水平方向に伸びたＬ字部６Ａが設けられ、このＬ字部６Ａの内周（床面１１側）には椅子２の脚部２０から収納箱１Ｂ〜１Ｄの長手方向に突出したストッパ２２と係合する所定の深さの凹部６Ｂが形成される。
【００３３】
そして、床面１１を貫通したロックレバー６の他端は収納箱１Ｂ〜１Ｄの内周に突出し、この端部がリンク７１を介して収納箱１Ｂの内周上面に固設されたネジジャッキ７のロッド７０に連結される。このネジジャッキ７も上記ネジジャッキ３と同様に図示しないモータを収装したもので、ロッド７０の伸縮に応じてロックレバー６は床面１１から突出又は引き込まれる。
【００３４】
ロッド７０が収縮したロックレバー６の引き込み位置（図７に示す６”）ではＬ字部６Ａは床面１１に形成された所定の深さの凹部１４に収装されるとともに、Ｌ字部６Ａの上端面を床面１１とほぼ平行にして均一な床面を形成する一方、ロッド７０が突出したロックレバー６の突出位置（図７に示す６′）では前方から移動してきた椅子２のストッパ２２が鉛直部６Ｃに当接する凹部６Ｂとの係合位置までの変位を許容する。この状態でロッド７０を収縮させればロックレバー６の凹部６Ｂがストッパ２２と係合して脚部２０の変位を規制して椅子２を床面１１の所定の位置で固定する。
【００３５】
以上のように構成され、次に作用について説明する。
【００３６】
図１〜３に示すように、平滑な床面を形成した収納箱１Ａ〜１Ｄを図１２に示すような所定の段差を備えた客席に変更するには、まず、図８に示すように、最前列を構成する収納箱１Ａを上昇させて内周の底面１７が開口部１０に面して隣合う収納箱１Ｂの床面１１と一致させるとともに、ネジジャッキ９を伸長駆動して支柱１２を椅子２が通過可能な水平位置１２′まで回動させる。
【００３７】
次に、収納箱１Ｂのネジジャッキ７を伸長駆動してロックレバー６を所定の突出位置６′まで伸長させてから、ネジジャッキ３を伸長駆動することにより平行リンク４を収納箱１Ｂに向けて伸長させる。
【００３８】
平行リンク４の伸長に伴って端部に支持された支持部材４３は電磁石５を介して椅子２の支柱２０Ａを付勢し、椅子２は脚部２０に設けたローラ２１の転動により収納箱１Ａの開口部１０から突出して収納箱１Ｂの床面１１へ移動する。このとき、開口部１０に設けた支柱１２は所定の水平位置１２′へ回動保持されているため、椅子２は支柱１２の下方を容易に通過することができる。
【００３９】
椅子２は平行リンク４に付勢されて収納箱１Ｂの床面１１上を変位した後、ストッパ２２が床面１１から突出したロックレバー６に当接した椅子２の所定の係止位置で椅子２は変位を規制されて停止し、同時にネジジャッキ３の駆動を停止して平行リンク４の伸長を停止させる。
【００４０】
図９に示すように、所定の配設位置でロックレバー６に係止された椅子２を固定するため、ネジジャッキ７を収縮駆動して突出位置にあるロックレバー６を床面１１へ向けて引き込むと、図７にも示したように、ロックレバー６に設けた凹部６Ｂがストッパ２２と係合することで椅子２は収納箱１Ｂの床面１１に固定されるのである。
【００４１】
ネジジャッキ３を収縮駆動させると、図１０に示すように、平行リンク４は収縮して収納箱１Ａに向けて変位を開始する。このとき、電磁石５は励磁されていないため支柱２０Ａから容易に離すことができ、支持部材４３は平行リンク４の最収縮位置である収納箱１Ａの所定の格納位置まで変位する。こうして、平行リンク４及び電磁石５を収納箱１Ａに格納してから、収納箱１Ａのネジジャッキ９を伸長駆動して支柱１２を再び床面１１の荷重を支持可能な所定の鉛直位置まで回動させる。
【００４２】
この状態で、収納箱１Ａに格納されていた椅子２は収納箱１Ｂの床面１１上に固定され、背もたれ２Ａを所定の位置へ回動させることにより客席が形成される。
【００４３】
図１１に示すように、椅子２を隣合う収納箱１Ｂの床面１１へ移動した収納箱１Ａを図示しない支持手段の駆動によって所定の床面高さまで下降させる一方、収納箱１Ｂの支持手段を駆動して床面１１が所定の高さとなる位置へ上昇させる。
【００４４】
そして、上記と同様にして収納箱１Ｂ、１Ｃに格納した椅子２を収納箱１Ｃ、１Ｄの床面１１へ順次移動させて固定するとともに、収納箱１Ｂ〜１Ｄを図示しないホールの後方へ向かうに従って床面１１の高さが順次上昇するよう図示しない各支持手段を駆動することによって、図１２に示すような、最前列の客席（収納箱１Ｂの床面１１上の椅子２）から最後列（収納箱１Ｄの床面１１上の椅子２）へ向けて順次上昇する所定の段差を備えた客席を構成することができ、映画、演劇などの鑑賞に適した客席構成に変更することができる。
【００４５】
一方、図１２に示すような客席構成が不要となって、図２に示すような平滑な床面が必要となる場合には上記椅子２の配設とは逆に、椅子２を順次収納箱１Ａ〜１Ｃへ順次格納することによって行われる。
【００４６】
収納箱１Ｂの床面１１上に固定された椅子２を収納箱１Ａへ格納する場合について説明すると、図１０に示すように、収納箱１Ａを上昇させて内周の底面１７が開口部１０に面して隣合う収納箱１Ｂの床面１１と一致させるとともに、ネジジャッキ９を伸長駆動して支柱１２を椅子２が通過可能な水平位置１２′まで回動させる。
【００４７】
図９に示すように、ネジジャッキ３を伸長駆動することにより平行リンク４を収納箱１Ｂに向けて伸長させ、支持部材４３を介して平行リンク４の端部に支持された電磁石５を椅子２の支柱２０Ａに当接させるとともに、この電磁石５を励磁して支柱２０Ａに吸着させることで平行リンク４と椅子２とを結合する。
【００４８】
椅子２の背もたれ２Ａを折り畳んだ後に、収納箱１Ｂのネジジャッキ７を伸長駆動してロックレバー６を所定の突出位置まで伸長させ、ネジジャッキ３を収縮駆動することによって平行リンク４を収納箱１Ａに向けて収縮させると、電磁石５に吸着された椅子２は脚部２０に設けたローラ２１の転動により開口部１０から収納箱１Ａの床面１１へ移動し、図８に示すように、椅子２及び平行リンク４は収納箱１Ａの所定の位置へ格納される。
【００４９】
この状態で、ネジジャッキ３の駆動を停止して平行リンク４の収縮を停止させるとともに、収納箱１Ａのネジジャッキ９を伸長駆動して支柱１２を再び床面１１の荷重を支持可能な所定の鉛直位置まで回動させてから収納箱１Ａの図示しない支持手段を駆動して床面１１が所定の高さとなるまで下降させる一方、収納箱１Ｂのロックレバー６を所定の格納位置に引き込むことにより、収納箱１Ａ、１Ｂは平滑な床面１１となる。
【００５０】
この動作を収納箱１Ｂ〜１Ｃについて順次行い、収納箱１Ａ〜１Ｄの床面１１が均一の高さとなるよう図示しない支持手段を駆動することにより、収納箱１Ａ〜１Ｄは図２に示すような平滑な床面１１に容易に変更することができる。
【００５１】
このようにして、収納箱１Ａ〜１Ｃが隣合う収納箱１Ｂ〜１Ｄと対向する側面に開口部１０を設け、収納箱１Ａ〜１Ｃに設けられて開口部１０から突出する方向へ椅子を駆動する伸縮可能な平行リンク４と、この平行リンク４と椅子２とを選択的に結合する電磁石５を備え、椅子２を水平方向へ変位させるとともに、隣合う収納箱１Ｂ〜１Ｄの床面１１へ載置するようにしたため、任意の位置に椅子２を所望の高さに設置することが可能となり、収納箱１Ａ〜１Ｃに収装可能な任意の椅子２を使用することが可能となって客席構成の自由度が向上し、映画、演劇あるいは会議などの催し物に適したホールの客席を容易に変更することが可能となり、客席配置の自由度を向上させるとともに省力化を推進することができ、椅子２を係止するロックレバー６を床面１１とほぼ均一な位置に収納する凹部１４を床面１１に形成することでロックレバー６を備えた収納箱１Ｂ〜１Ｄの床面１１を平滑に形成することが可能となって、目地の少ない品質の高いホールの床面を構成することができる。
【００５２】
また、収納箱１Ａ〜１Ｄにそれぞれ形成した開口部１０には複数の回動自在な支柱１２を配設したため、椅子２の出し入れを阻害することなく収納箱１Ａ〜１Ｄの剛性を向上させて床面１１に重量物を載置することが可能となり、展示会、スポーツなどに適した平滑な床面を提供することが可能となって、ホールの用途を多岐にわたって拡張することで利用効率を向上させることが可能となる。
【００５３】
なお、上記実施例において、係止手段としてネジジャッキ７で駆動されるロックレバー６を開示したが、これに限定されることはなく、図示はしないが椅子２の脚部２０に吸着する電磁などで構成することができる。
【００５４】
また、椅子２を折り畳み式としたが、図示はしないが、収納箱１Ａ〜１Ｃの内部に収装可能な椅子であれば固定式の椅子を利用することができる。
【００５５】
また、伸縮自在な駆動手段としてネジジャッキ３で駆動される平行リンク４を開示したが、図示はしないが油圧シリンダなどにより構成してもよい。
【００５６】
【発明の効果】
以上のように第１の発明によれば、隣合う収納箱と対向する収納箱の側面に開口部を設け、収納箱に設けられて開口部から突出する方向へ椅子を駆動する伸縮可能な駆動手段と、この駆動手段と椅子とを選択的に結合する手段を備え、椅子を水平方向へ変位させて隣合う収納箱の上面に載置するようにしたため、収納箱の内部に格納する椅子の選択の自由度を拡大するとともに、任意の位置に椅子を所望の高さに設置することが可能となり、伸縮可能な駆動手段で椅子の移動を行うとともに、この椅子の移動後に駆動手段を収納箱へ格納することで平滑な床面を形成することができ、映画、演劇あるいは会議などの催し物に適したホールの客席を容易に構成することが可能となり、客席配置の自由度を向上させるとともに省力化を推進することができる。
【００５７】
また、一端を前記収納箱の開口部に面した内周上部にヒンジ結合する一方、他端を収納箱の内周底部に当接可能な支柱を設けたため、開口部の剛性を向上させるとともに、椅子の出し入れを円滑に行うことが可能となる。
【００５８】
また、第２の発明は、前記支柱を前記開口部に沿った所定の間隔で配設したため、開口部を備えた収納箱の剛性をさらに向上させて床面に重量物を載置することが可能となり、展示会などに適した床面を提供することが可能となって、ホールの用途を多岐にわたって拡張することで利用効率の向上を図ることができる。
【００５９】
また、第３の発明は、係止手段を収納箱に形成した凹部に収装したため、収納箱の上面を平滑に形成することが可能となって、目地が少なく品質の高いホールの床面を構成することができる。
【図面の簡単な説明】
【図１】本発明の実施例を示す収納装置の平面図である。
【図２】図１のＡ−Ａ矢視断面図である。
【図３】図１の背面図である。
【図４】収納箱を示す断面図である。
【図５】リンクの伸長状態を示す平面図である。
【図６】支柱用ネジジャッキを示す背面図である。
【図７】ロックレバーを示す図４の部分断面図である。
【図８】収納箱の動作を示す説明図である。
【図９】同じく椅子の移動状態を示す説明図である。
【図１０】同じく平行リンクの収納状態を示す説明図である。
【図１１】同じく椅子のセット状態を示す説明図である。
【図１２】同じく椅子のセット状態を示す収納装置の概略図である。
【図１３】従来の例を示す収納装置の断面図である。
【符号の説明】
１Ａ〜１Ｄ  収納箱
２  椅子
３  ネジジャッキ
４  平行リンク
５  電磁石
６  ロックレバー
７  ネジジャッキ
８  リンク
９  ネジジャッキ
１０  開口部
１１  床面
１２  支柱
１４  凹部
【図１】
0003601841.tif 000002
【図２】
0003601841.tif 000003
【図３】
0003601841.tif 000004
【図４】
0003601841.tif 000005
【図５】
0003601841.tif 000006
【図６】
0003601841.tif 000007
【図７】
0003601841.tif 000008
【図８】
0003601841.tif 000009
【図９】
0003601841.tif 000010
【図１０】
0003601841.tif 000011
【図１１】
0003601841.tif 000012
【図１２】
0003601841.tif 000013
【図１３】
0003601841.tif 000014